(57)【要約】    【課題】  空気調和機の室内ユニットに内装されている電気部品ユニットを室内ユニットの前面へ配置すると、熱交換器への空気の流入状態が悪くなる領域が発生し、熱交換器の熱交換性能が局所的に悪化してしまう。    【解決手段】  室内ユニットの電気部品ユニット１２と下部が内側に傾斜した前面下部熱交換部７ｄとの隙間に介在する仕切部材６ａを、前面下部熱交換部７ｄに対して最下端まで接することなく露による橋渡しがない間隙を保ち、前面下部熱交換部７ｄに対して仕切部材６ａを略並行とする。    【選択図】  図２
2005195199.tif 000002
【特許請求の範囲】
【請求項１】
上方に空気吸込口を有し下方に空気吹出口を有する室内ユニットと、この室内ユニットの前面を覆う前面パネルと、この室内ユニット内に設けられた貫流ファンと、この貫流ファンの上流に配置され、下部がこの貫流ファン側に傾斜した前面下部熱交換部を有する熱交換器と、この前面下部熱交換部の下部に底面が存在するように配置された露受皿と、前記前面パネルと前記露受皿の前面を構成する仕切部材との間の空間に配置された前記室内ユニット幅方向に長い電気部品ユニットとを備えた空気調和機において、前記前面下部熱交換部と前記仕切部材との最小距離を露が両者間を橋渡ししない距離とした空気調和機。
【請求項２】
上方に空気吸込口を有し下方に空気吹出口を有する室内ユニットと、この室内ユニットの前面を覆う前面パネルと、この室内ユニット内に設けられた貫流ファンと、この貫流ファンの上流に配置され、下部がこの貫流ファン側に傾斜した前面下部熱交換部を有する熱交換器と、この前面下部熱交換部の下部に底面が存在するように配置された露受皿と、前記前面パネルと前記露受皿の前面を構成する仕切部材との間の空間に配置された前記室内ユニット幅方向に長い電気部品ユニットとを備えた空気調和機において、前記前面下部熱交換部と前記仕切部材との最小距離を露が両者間を橋渡ししない距離とし、前記仕切部材を前面下部熱交換部と略平行とした空気調和機。
【請求項３】
請求項２において、前記仕切部材と前面下部熱交換部との略平行度は、前記仕切部材と前記前面下部熱交換部とが平行の状態から、前記前面熱交換部に対して前記仕切部材が７°傾斜した状態までである空気調和機。
【請求項４】
請求項２において、前記仕切部材の途中に段差部を設けた空気調和機。
【請求項５】
請求項４において、前記段差部は湾曲した形状である空気調和機。
【発明の詳細な説明】
【技術分野】
【０００１】
本発明は、主に熱交換器と電気部品を備えた空気調和機の室内ユニットにおいて、空調性能を向上させる構造に関するものである。
【背景技術】
【０００２】
近年、空気調和機においては省電力化が求められており、その省電力化のための一手法として室内ユニットの熱交換器を拡大する方法がある。熱交換器を拡大すれば伝熱面積が広くなるため熱交換量が増加し、その結果、空調性能が向上し省電力で同等の空調効果を生み出すことが可能となる。つまり、室内ユニットに内装されている熱交換器を拡大し、室内ユニットの外形寸法も大きくするだけで省電力化を図ることができる。故に、空気調和機に対する省電力化の要求に応えるため、近年は熱交換器を拡大させてきており、それに伴って室内ユニットの外形寸法も大きくする傾向にあった。
【０００３】
しかし、室内ユニットは室内への据付け・設置等の関係から現状寸法以下が望ましく、熱交換器を拡大させて省電力化を図るために室内ユニットを単純に大きくすることは難しくなってきている。また、最近の空気調和機の室内ユニット内に設けられた熱交換器は、縦断面形状が逆Ｖ字状になるように上部前方熱交換器部及び上部後方熱交換器部が貫流ファンの上方に配置され、上部前方熱交換器部の下部で貫流ファンの前方に下部熱交換器部が配置されている。このように熱交換器が室内ユニットの上下方向だけでなく奥行き方向にも配置されるようになってきたため、室内ユニットは部屋に設置した際に壁から大きく突出した格好となっている。このような手段によって室内ユニットに配置される室内熱交換器の伝熱面積を拡大させてきたが、壁掛け型ルームエアコンの室内ユニットの大きさには限界があり、これ以上室内ユニットを大型化することができない。
【０００４】
しかし、一方で、省電力化のために性能向上を図る要求が強く、このためには、室内熱交換器の伝熱面積を更に拡大する必要がある。また、近年、特許文献２に記載されているように、室内の空気を室外に排気する換気ユニットを空気調和機に取り付ける場合があり、この場合、室内熱交換器の横にこの換気ユニットを配置せざるを得ず、益々室内熱交換器の伝熱面積が縮小されてしまい性能低下と言う問題があった。
【０００５】
そこで、室内ユニットの外形寸法を保ちつつ熱交換器を拡大させて空調性能を向上させている、及び室内ユニットの外形寸法を縮小しても熱交換器の寸法を保つことで空調性能を維持させている例が特許文献１に記載されている。
【０００６】
これは、空気調和機の室内ユニットに内装されている電気部品ユニット（電気品収納箱）を細長くし、室内ユニットの長手方向に配置、具体的には、室内ユニット前面下部に配置された前面熱交換器の露を受ける露受皿の前方に配置し、従来電気部品ユニットが配置されていた熱交換器の横の空間にまで熱交換器を拡大することで伝熱面積を拡大するというものである。
【０００７】
【特許文献１】特許第０３２５９７１９号公報
【０００８】
【特許文献２】特開２０００−２７４７２７号公報
【発明の開示】
【発明が解決しようとする課題】
【０００９】
しかしながら、上記特許文献１に記載の技術においては熱交換器の性能が局所的に低下してしまうという問題がある。すなわち、電気部品ユニットは、前面熱交換器の下部に設けられた露受皿の前面より前に配置されている。熱交換器と電気部品ユニットは近づくことになり、それが影響して熱交換器への空気の流入状態が悪化して熱交換性能が比較的低い領域が局所に発生してしまう。
【００１０】
本発明の目的は、熱交換器の上流側へ電気部品ユニットを配置した際に、熱交換器への空気の流入状態を改善することで、空調性能を更に向上させることにある。
【課題を解決するための手段】
【００１１】
上記目的は、上方に空気吸込口を有し下方に空気吹出口を有する室内ユニットと、この室内ユニットの前面を覆う前面パネルと、この室内ユニット内に設けられた貫流ファンと、この貫流ファンの上流に配置され、下部がこの貫流ファン側に傾斜した前面下部熱交換部を有する熱交換器と、この前面下部熱交換部の下部に底面が存在するように配置された露受皿と、前記前面パネルと前記露受皿の前面を構成する仕切部材との間の空間に配置された前記室内ユニット幅方向に長い電気部品ユニットとを備えた空気調和機において、前記前面下部熱交換部と前記仕切部材との最小距離を露が両者間を橋渡ししない距離とすることにより達成される。
【００１２】
上記目的は、上方に空気吸込口を有し下方に空気吹出口を有する室内ユニットと、この室内ユニットの前面を覆う前面パネルと、この室内ユニット内に設けられた貫流ファンと、この貫流ファンの上流に配置され、下部がこの貫流ファン側に傾斜した前面下部熱交換部を有する熱交換器と、この前面下部熱交換部の下部に底面が存在するように配置された露受皿と、前記前面パネルと前記露受皿の前面を構成する仕切部材との間の空間に配置された前記室内ユニット幅方向に長い電気部品ユニットとを備えた空気調和機において、前記前面下部熱交換部と前記仕切部材との最小距離を露が両者間を橋渡ししない距離とし、前記仕切部材を前面下部熱交換部と略平行とすることにより達成される。
【発明の効果】
【００１３】
空気調和機の室内ユニットにおいて、電気部品ユニットを室内ユニットの前面である熱交換器の上流側に設置した際に、熱交換器への空気の流入状態を改善することで空調性能を更に向上させることができる。
【発明を実施するための最良の形態】
【００１４】
以下、空気調和機の本発明の１実施例を説明する。本実施例では熱交換を行う熱交換器と、空調の運転制御に関わっている電気部品とを室内ユニットに備えたセパレート型であって壁掛け型の空気調和機に適用したものである。
【００１５】
本実施例に係る空気調和機の室内ユニットを図１乃至図２に示す。図１乃至図２において、図１は空気調和機の室内ユニット全体の概略構造を示しており、正面からの室内ユニットを表している。図２は室内ユニットの側面からの概略構造を示しており、室内ユニットの側断面を表している。
【００１６】
室内ユニットの前面側は前面パネル１が位置しており、上面側には上面グリル２が設置されている。前面パネル１の上部はユニット枠３に取り付けられており、前面パネル１は上部を支点にして下部から開閉できるようになっている。また、前面パネル１は上部をユニット枠３から取り外すことで、脱着可能となっている。上面グリル２もユニット枠３に取り付けられており、脱着可能となっている。室内ユニットの下面側には横風向板１１が設置されており、この横風向板１１はケーシング９に取り付けられている。室内ユニットの空気の吹出口は、横風向板１１が回転することで開閉できるようになっている。室内ユニットの概観としては、以上の前面パネル１、上面グリル２、ユニット枠３、横風向板１１、ケーシング９等によってほぼ外形が構成されている。
【００１７】
室内ユニットの前面パネル１と上面グリル２の直ぐ内側にはプレフィルター４が位置している。プレフィルター４はユニット枠３に取り付けられており、スライドさせることでユニット枠３からの脱着が可能となっている。プレフィルター４の内側には空清フィルター５が設置され、室内ユニット前面側に位置するようになっている。空清フィルター５もユニット枠３に取り付けられた形になっており、脱着できるようになっている。
【００１８】
室内ユニットの更に内側は熱交換器７が設置され、貫流ファン８を囲うように配置されている。熱交換器７は室内ユニット上部側で一箇所、前面側で二箇所の合計三箇所で見た目曲げられている。すなわち、熱交換器７は、上部後方熱交換部７ａ、上部前方熱交換部７ｂ、前面熱交換部７ｃ及び前面下部熱交換部７ｄによって構成されている。そして、上部後方熱交換部７ａ及び上部前方熱交換部７ｂとは、図２に示すように断面形状が略逆Ｖ字状に配置されている。また、上部前方熱交換部７ｂの下方には前面熱交換部７ｃが略直立して配置されており、その下方に最下段の熱交換部である前面下部熱交換部７ｄが垂直から略３０°下側が貫流ファン８側に傾斜して配置されている。そしてこの前面下部熱交換部７ｄの下方に露受皿９ｂの底面に立設された２本のリブ上に載せられている。これらの熱交換部間は、平面状の熱交換器に切り込みを入れて曲げても良いし、個々に独立した熱交換器であっても構わない。
【００１９】
貫流ファン８はケーシング９に挟まれるように配置されている。すなわち、貫流ファン８の前面には露受皿９ｂにその機能が付随されたノーズが、後方には通風路を構成する後部ケーシング９ａによって挟まれている。なお、露受皿９ｂの底部裏面は通風路となっている。
【００２０】
貫流ファン８の回転軸の端部はモータに連結されている。縦風向板１０はケーシング９に取り付けられており、取り付け部分を支点として回転するようになっている。
【００２１】
室内ユニットと室外機とのを接続することで冷凍サイクルを構成する冷媒配管である冷媒用銅パイプ１６は断熱材に覆われており、ケーシング９近くの室内ユニット背面側に配管されている。
【００２２】
電気部品ユニット１２は、細長く形成されており、内部に空気調和機を制御するマイコン基板、室外機と通信を行う基板、貫流ファン８を駆動するための信号を発生する基板等が電気部品ユニット１２の幅に合うような寸法に形成されて収納されている。なお、一つの電気品箱に全ての回路基板を収納して電気部品ユニット１２を構成しても、複数の電気品箱の夫々に回路基板を収納して電気部品ユニット１２を構成しても本実施例に関してはいずれでも構わない。電気部品ユニット１２は室内ユニットの前面部分に内装され、熱交換器７の下部前面に配置されている。すなわち、露受皿９ｂの前面壁の前面に前述の長手方向が室内ユニットの幅方向となるように電気部品ユニット１２が配置されている。熱交換器７と電気部品ユニット１２との隙間には、露受皿９ｂの前面壁を形成し、そのお互いを仕切っている仕切部材６ａが介在している。仕切部材６ａの熱交換器７に面した壁面は、後述する理由で、熱交換器７と接することなく適当な距離を保っており、ほぼ平らな壁面となっている。電気部品ユニット１２の前面には電装部１３が設置されており、電装部１３は前面パネル１に覆われた際に表示部１５の内側に位置することになる。
【００２３】
なお、図示していないが、本実施例における室内ユニットには換気ユニットが内装されている。図１において、紙面向かって右の熱交換器７の横には貫流ファン８を駆動する電動機が、向かって左の熱交換器７の横にはこの換気ユニットが配置されている。換気ユニットの機能を説明する。排気機能は、換気ユニットの前面であって前面パネル１内に開口した室内吸込口から吸い込んだ空気を換気ユニット背面に設けられた給排気口からダクトを介して外部に排出する機能である。給気機能は、給排気口から吸い込んだ室外の空気を、空清フィルターを介して室内ユニット内に設けられた給環気用ダクト１４に吹き出し、室内ユニットの略正面まで運び、室内ユニットの正面であって、貫流ファン８からの空気を吹き出す空気吹出口と電気部品ユニット１２との間に開口した換気吹出口から吹き出す機能である。環気機能は、室内吸込口から吸い込んだ室内空気を給換気用ダクト１４に吹き出し、換気吹出口から吹出す機能である。
【００２４】
図２に示すように、給環気用ダクト１４は電気部品ユニット１２の下部に配置され、前面パネル１を室内ユニットに覆い被せた際に表示部１５の下部から給環気用ダクト１４（この断面においては換気吹出口）は見えるようになっている。
【００２５】
以上の構成による空気調和機の室内ユニットの機能及び動作について、主に冷房・暖房運転を行っている状態を想定して説明する。
【００２６】
前面パネル１の表示部１５の奥に位置する電気部品ユニット１２の電装部１３において、リモコンからの運転信号を受信することで空気調和機は運転を開始する。電装部１３の電光色は運転モードに合わせて変化し、前面パネル１の表示部１５から色彩を確認することで運転モードを判断することができる。
【００２７】
横風向板１１は電気部品ユニット１２からの制御によって回転し、蓋をしていた室内ユニットの吹出口を開く。また、リモコンを操作することで横風向板１１と縦風向板１０は電気部品ユニット１２を介して制御され、室内ユニットの風向きを変化させることができる。室内ユニットが運転信号を受信すると室外ユニットも作動する。
【００２８】
室外ユニットから送り込まれてきた冷媒は冷媒用銅パイプ１６を介して熱交換器７を循環する。貫流ファン８が連結しているモータは電気部品ユニット１２の制御により、運転状態に合わせて回転している。貫流ファン８が回転し始めると、空気は主に上面グリル２から吸い込まれ、プレフィルター４を通過して室内ユニットの内部に流れ込む。プレフィルター４を通過する際に、空気は埃等を取り除かれる。プレフィルター４の更に内側に設置している空清フィルター５は、空気の清浄を行っている。以上の過程を経て、空気は熱交換器７へ隈なく流入し熱交換される。熱交換器７の下部において、空気は仕切部材６ａと熱交換器７との間をスムーズに流れてゆき、熱交換器７の最下端までしっかりと流れている。熱交換された空気は貫流ファン８へ吸い込まれ、貫流ファン８を貫通するようにしてケーシング９側へ流れ出る。空気はケーシング９の下流側に設けられた横風向板１１と縦風向板１０により風向きを制御され、室内ユニットの吹出口から吹き出していく。また、給排気機能が加わっており、室外から室内への空気の給気、室内から室外への空気の排気、室内における空気の循環を選択することもできる。これらの給排気機能を使用しているときに、前面パネル１の下部に設置されている給環気用ダクト１４からは気流が吹き出している。この給環気用ダクト１４からの気流はケーシング９から吹き出してくる空気の気流制御の役目も果たしている。
【００２９】
以上の構成による本実施例の作用効果について説明する。特許文献１の図４に係る室内ユニットにおいては、前面下部熱交換部７ｄが本図２に示した実施例と同様、据え付け壁面（壁面は床面に対して普通は垂直）に対して略３０°下部が貫流ファン８方向になるように傾いて設置されている。そして、本実施例と同様にその前面に仕切部材６ａが配置されてその前方に電気部品ユニット１２が配置されている。そして、この特許文献１における仕切部材６ａは、下部が前面下部熱交換部７ｄの前面に接し、上部がこの前面下部熱交換部７ｄから離れる方向に略２０°傾けられている。すなわち、仕切部材６aは、据え付けられる壁面に対して略５０°傾斜していることとなる。
【００３０】
この状態で、露受皿９ｂがその機能を果たす運転である冷房運転や除湿運転を行うと前面下部熱交換部７ｄに伝わってきたおよび前面下部熱交換部７ｄで発生した露が、下部の狭い部分で表面張力によって仕切部材６ａと前面下部熱交換部７ｄとの間を橋渡ししてしまう現象が発生する。この橋渡し現象が発生してしまうと、その上にも露が溜まりこの露によって前面下部熱交換部７ｄの下部には空気が流れなくなり熱交換性能が低下してしまう。
【００３１】
また、特許文献１では、仕切部材６ａの前方には電気部品ユニット１２しか配置されていないが、本実施例においては、電気部品ユニット１２の下部に給換気ダクト１４が配置されている。上記したように、特許文献１における仕切部材６ａは、床面に垂直な平面に対して略５０°傾いている。このため、電気部品ユニット１２の下方に、給換気ダクト１４を配置しようとすると、給換気ダクト１４は断面面積が風路抵抗とならない大きさとしているので、電気部品ユニット１２が略５０°の角度で前方上方に延びることとなる。このため電気部品ユニット１２が前面パネル１を突き抜けてしまうため、ユニット枠３を全体的に前面に拡張して収納しなければならない。従って、室内ユニットの奥行き寸法が大きくなるといった問題がある。なお、給換気ダクト１４のみならず、電気部品ユニット１２の高さ寸法が大きくなった場合、これら以外の部品が配置される場合は同様の問題が生じる。
【００３２】
空調性能を向上させるため、及び室内ユニットの外形寸法を縮小させるため、電気部品ユニット１２を熱交換器７の下部前面側（露受皿９ｂと前面パネル１との間）に配置する点は、特許文献１と同様である。この結果、電気部品ユニット１２を室内ユニットの左右両端のどちらかに配置する必要がなくなり、その空いた空間へ熱交換器７を拡大することで空調性能を向上させることが可能となる。または、その空いた空間を省くことで空調性能を維持しながら室内ユニットの外形寸法を縮小することが可能となっている。
【００３３】
しかし、電気部品ユニット１２と熱交換器７は近づくため、それらお互いを単純に配置した場合、局所的に空気の流入状態が悪化して熱交換性能が比較的低い領域が発生してしまう。また、冷房運転時において、熱交換器７には結露による露が多く発生し、仕切部材６ａと熱交換器７が近接した領域に付着してしまう。露が付着すると空気の流入経路が塞がれ、その付着した領域より下流側の熱交換器７への空気の流入が激減し、局部で熱交換性能が大きく低下してしまう。このため、電気部品ユニット１２を室内ユニットの前面側へ配置した効果を十分に引き出すためにも、熱交換器７への空気の流入に配慮した構造が必要となってくる。
【００３４】
そこで、本実施例では、電気部品ユニット１２と熱交換器７との隙間において、それらを仕切っている仕切部材６ａは熱交換器７に対して接することがないように適当な距離を保ちつつ、熱交換器７側の仕切部材６ａの壁面をほぼ平らに形成されている。
【００３５】
換言すると、少なくとも、最下部の熱交換器である前面下部熱交換部７ｄのフィン先端と仕切部材６ａとの間の最小距離を露の表面張力によって前面下部熱交換部７ｄのフィン先端と仕切部材６ａとの間に露によって橋渡しされない距離に設定した。
【００３６】
貫流ファン８の周囲に何らの障害物がない状態では、室内ユニットの正面であって貫流ファン８の正面から貫流ファン８の軸中心に向かって流れる空流が最も強い流れとなる。これは、自然状態において、貫流ファン８の渦の中心が前側のノーズ近傍に生ずるからである。
【００３７】
しかし、本実施例では、貫流ファン８の回転中心の正面には給換気ダクト１４の上部に配置された電気部品ユニット１２が存在し、しかも前面パネル１の正面にはデザインの都合上空気吸込口は設けられていない。従って、この部分での通風抵抗は大きくなり、渦の中心は貫流ファン８の上部に移動するが、自然状態では渦中心はノーズ近傍にあるので、正面における流路抵抗を極力少なくしたい。
【００３８】
本実施例では、上述したように、前面下部熱交換部７ｄのフィン先端と仕切部材６ａとの間の最小距離を、露によって橋渡しされない距離としたので、露による流路抵抗の増大という問題がなくなり、前面下部熱交換器７ｄの熱交換性能を低下を抑制することができる。
【００３９】
また、仕切部材６ａの角度を最下部の熱交換機である前面下部熱交換部７ｄの角度にほぼ合わせた。上記の最小距離の確保と相俟って、上部の上面グリル２から吸込まれた空気が、抵抗損失を抑えつつ最下部の熱交換器に到達することができる。
【００４０】
このときの熱交換器７下部の空気の速度分布を図３に示した。図３からも空気が熱交換器７の最下端まで流入していることが判断できる。
【００４１】
また、仕切部材６ａを前面下部熱交換部７ｄの空気吸込み側フィン先端に略平行となるように配置（床面に垂直な平面に対して略３０°の傾斜）したので、露受皿９ｂの前面に電気部品ユニット１２及び給換気ダクト１４を配置しても、室内ユニットの奥行きが大きくなること及び通風抵抗の増大を抑制しながら内容積の有効利用を図ることができる。なお、仕切部材６ａの傾斜を、前面下部熱交換部７ｄに平行としたが、更に、７°まで傾斜（床面に垂直な平面に対して３７°上が拡がるように傾斜）させても、室内ユニットの奥行きを大きくさせないで済む。
【００４２】
以上のことから、電気部品ユニット１２が前面側に位置している熱交換器７下部へも空気は隈なく流入することができ、熱交換性能を良くすることが可能となる。
【００４３】
以上、本実施例によれば、室内ユニットの電気部品ユニット１２と熱交換器７との隙間に介在する仕切部材６ａを、熱交換器７に対して最下端まで接することなく間隙を保った構造としているので、熱交換器７への空気の流入状態は改善され、空調性能を向上させることができる。
【００４４】
次に、上記実施例の変形例を図４に基づいて説明する。図１乃至図２の空気調和機の室内ユニットと構成から機能及び動作までほぼ同じ形態となっている。既に説明している点については前述を以って省略する。
【００４５】
電気部品ユニット１２は室内ユニットの前面部分に内装され、熱交換器７の下部前面に配置されている。熱交換器７と電気部品ユニット１２との隙間には、そのお互いを仕切っている仕切部材６ｂが介在している。仕切部材６ｂの熱交換器７側の壁面は、熱交換器７と接することなく適当な距離を保っており、段差が設けられた壁面を形成している。
【００４６】
熱交換器７の前面最下部の熱交換部である前面下部熱交換部７ｄと仕切部材６ｂとは、下方では両者間の距離を上述した露が橋渡しされない距離とし、上方ではそれよりも距離を取っている。両者の間は緩やかに変化する段部となっている。なお、仕切部材６ｂの上方は段部を除き、最下段の熱交換器である前面下部熱交換部の上流側先端と略平行となっている。
【００４７】
上述したように、貫流ファン８は正面側の吸込み量が多く、正面側から多く吸込もうとする性質がある。この部分を広くしたので、上述した実施例に示す効果の他、更に流路抵抗が低減される。
【００４８】
このときの前面下部熱交換部７ｄの空気の速度分布を図５に示した。図５からも空気が熱交換器７の最下端まで流入していることが判断できる。以上のことから、電気部品ユニット１２が前面側に位置している熱交換器７下部へも空気は隈なく流入することができ、熱交換性能を良くすることが可能となる。
【００４９】
上記の空気調和機において、本変形例において、室内ユニットの電気部品ユニット１２と熱交換器７との隙間に介在する仕切部材６ｂを、熱交換器７に対して最下端まで接することなく間隙を保ちつつ、段差を設けた構造とした。これにより、熱交換器７への空気の流入状態は改善され、空調性能を更に向上させることができる。
【００５０】
本実施例におけるもう一つの変形例を図６に示す。上記変形例と相違する点は、上記変形例における仕切部材６ｂの段部の角を滑らかな曲線で接続した点である。
【００５１】
これにより、前面下部熱交換部７ｄと仕切部材６ｃとの間の空気流にわずかながらでも発生する剥離がなくなり、空気は仕切部材６ｃと前面下部熱交換部７ｄとの間をスムーズに流れ、その最下端までしっかりと流れる。
【図面の簡単な説明】
【００５２】
【図１】本発明の一実施例に係る空気調和機の室内ユニットの全体図。
【図２】本発明の一実施例に係る空気調和機の室内ユニットの側面断面図。
【図３】一実施例に係る速度ベクトル図。
【図４】本発明の一実施例における変形例を示す図。
【図５】図４に示した変形例における速度ベクトル図。
【図６】本発明の一実施例における変形例を示す図。
【符号の説明】
【００５３】
１…前面パネル、２…上面グリル、３…ユニット枠、４…プレフィルター、５…空清フィルター、６ａ、６ｂ、６ｃ…仕切部材、７…熱交換器、８…貫流ファン、９…ケーシング、１０…縦風向板、１１…横風向板、１２…電気部品ユニット、１３…電装部、１４…給環気用ダクト、１５…表示部、１６…冷媒用銅パイプ。
【図１】
2005195199.tif 000003
【図２】
2005195199.tif 000004
【図３】
2005195199.tif 000005
【図４】
2005195199.tif 000006
【図５】
2005195199.tif 000007
【図６】
2005195199.tif 000008